(57)【要約】 【課題】  外装体としての木材の自然な風合いを活かしつつ、放熱効率を向上させることのできる電子機器の放熱構造を提供すること。【解決手段】  外装体２，３が圧縮木材で形成された電子機器１の放熱構造であって、内部に設けた金属製の放熱フレーム２０の一部を外方に露出させたことを特徴とする。これにより、電子機器１の内部に発生した熱は、熱伝導率の高い放熱フレーム２０を伝わって、露出した放熱フレーム２０の一部から外部へ発散する。【選択図】    図１
2005236183.tif 000002
【特許請求の範囲】
【請求項１】
外装体が圧縮木材で形成された電子機器の放熱構造であって、
内部に設けた金属製の放熱フレームの一部を外方に露出させたことを特徴とする電子機器の放熱構造。
【請求項２】
前記放熱フレームの外部に露出した部位にフィンが形成されていることを特徴とする請求項１に記載の電子機器の放熱構造。
【請求項３】
前記放熱フレームの外部に露出した部位が、外装体の外表面に対して内方に没する位置に設定されていることを特徴とする請求項１または請求項２に記載の電子機器の放熱構造。
【請求項４】
前記放熱フレームの外方に露出した部位が、外装体のデザインを構成するアクセント部として設けられていることを特徴とする請求項１または２に記載の電子機器の放熱構造。
【発明の詳細な説明】
【技術分野】
【０００１】
本発明は、電子機器の放熱構造に関するものである。
【背景技術】
【０００２】
近年、様々な電子機器が提供されているが、これら電子機器に内蔵される電子部品は電力を消費することにより熱を発生させるため、これを放置しておくと電子部品の機能が低下するなど、その健全性が害されるおそれがある。そのため、機器内部の熱を外部に発散させるような構造が必要となる。
これら放熱のための技術として、種々のものが提案されている（例えば、特許文献１参照。）。
【０００３】
ここで、各種電子機器の外装体として、近年では合成樹脂や軽金属が多く使われているが、このような合成樹脂や軽金属は、強度も高く見栄えもよいという点で優れている反面、ある種の冷たさや安っぽさを与えるというデメリットもある。
そこで、使用するにしたがってその者の手になじみ、やさしい触感を与えるなどの利点を有する、木や竹といった木材を、各種電子機器の外装体に使用するという提案がなされている。
【特許文献１】特開平１１−２６９６９号公報
【発明の開示】
【発明が解決しようとする課題】
【０００４】
しかしながら、上記のように外装体を木材にすると、木材は熱伝導率が低いため、機器内の熱が外部に発散し難くなるという問題がある。つまり、上記木材の利点を活かしながら、内部の熱を効率よく外部に発散させるような電子機器の放熱構造は従来提案されていなかった。
【０００５】
本発明は、このような事情に鑑みてなされたもので、外装体としての木材の自然な風合いを活かしつつ、放熱効率を向上させることのできる電子機器の放熱構造を提供することを目的としている。
【課題を解決するための手段】
【０００６】
上記課題を解決するために、本発明は以下の手段を提供する。
請求項１に係る発明は、外装体が圧縮木材で形成された電子機器の放熱構造であって、内部に設けた金属製の放熱フレームの一部を外方に露出させたことを特徴とする。
外装体が圧縮木材で形成された電子機器に、木材と比較して熱伝導率の高い金属からなる放熱フレームが設けられ、この放熱フレームの一部が外方に露出するように構成されているため、電子機器の内部に発生した熱は、熱伝導率の高い放熱フレームを伝わって、露出した放熱フレームの一部から外部へ発散する。
これにより、外装体を木材とした場合でも、放熱効率や放熱効果を向上させるだけでなく、外装体の強度を上げることができる。
【０００７】
請求項２に係る発明は、請求項１に記載の電子機器の放熱構造において、前記放熱フレームの外部に露出した部位にフィンが形成されていることを特徴とする。
これにより、放熱フレームの外部に露出した部位の表面積が大きくなり、放熱効率をより向上させることができる。
【０００８】
請求項３に係る発明は、請求項１または請求項２に記載の電子機器の放熱構造において、前記放熱フレームの外部に露出した部位が、外装体の外表面に対して内方に没する位置に設定されていることを特徴とする。
放熱フレームは、機器内部に発生した熱が伝わるため、高温になる可能性がある。
この発明によれば、操作者がこの電子機器を把持したり操作したりする場合でも、熱を帯びた放熱フレームに触れることが防止される。
【０００９】
請求項４に係る発明は、請求項１または２に記載の電子機器の放熱構造において、前記放熱フレームの外部に露出した部位が、外装体のデザインを構成するアクセント部として設けられていることを特徴とする。
これにより、放熱効率を高めるだけでなく、デザイン性を向上させることができる。
【発明の効果】
【００１０】
本発明によれば、電子機器の外装体に木材を使用することにより、自然素材としての風合いを活かすとともに、機器内部の放熱を容易に行うことができる。
【発明を実施するための最良の形態】
【００１１】
（実施例１）
以下、本発明の第１の実施例における電子機器の放熱構造について、図面を参照して説明する。本実施例では、電子機器の放熱構造をデジタルカメラに適用した場合を例に挙げて説明する。
図１において、符号１は、本発明の第１の実施例としてのデジタルカメラを示したものである。
デジタルカメラ１は、図１に示すように、フロントケース（外装体）２とリアケース（外装体）３とがそれぞれ重ね合わされて構成されたものである。
フロントケース２とリアケース３は、例えば、檜、桐、チーク、マホガニー、杉、松、桜、竹といった木材からなり、略矩形状に形成されている。フロントケース２には、円形の開口部４が形成されており、その開口部４内に、レンズ５が設けられている。また、レンズ５の近傍であってフロントケース２の幅方向の端部近傍には、ファインダー６およびフラッシュ７が設けられている。
【００１２】
また、フロントケース２の幅方向の両端には、フロントケース２の長さ方向、すなわち矢印Ｓ方向に向けられた長溝８がそれぞれ形成されており、これら両長溝８を介して、木材からなるスライドカバー９が取り付けられている。すなわち、スライドカバー９にはその両端に爪部９ａが設けられており、これら爪部９ａが両長溝８にそれぞれ係合されることにより、スライドカバー９が矢印Ｓ方向に往復移動可能に支持されている。そして、このスライドカバー９を、人指し指などで押圧しながらレンズ５に一致する位置までスライドさせる、すなわちスライドカバー９を閉じると、レンズ５が覆い隠されてその表面が保護されるようになっており、反対にスライドカバー９を、レンズ５が外方に露出する位置までスライドさせる、すなわちスライドカバー９を開けると、露出したレンズ５を通して撮影可能な状態になるようになっている。
なお、符号１０はシャッターボタン、符号１１はズームボタンを示している。
【００１３】
さらに、本実施例におけるデジタルカメラ１は、フロントケース２とリアケース３との間に放熱フレーム２０が配置されて構成されるものである。放熱フレーム２０は、矩形枠状に形成されており、アルミ、マグネシウムなどの金属からなっている。そして、この放熱フレーム２０の中空部分には、各種電子部品が固定された図２に示す基板３０が設けられるようになっている。また、放熱フレーム２０の外周面２０ａには、立ち上がり壁部２０ｂを介して外方に向けて突出する突部２０ｃが全周にわたって形成されている。さらに、立ち上がり壁部２０ｂの高さ寸法ｄ1は、フロントケース２およびリアケース３の厚さ寸法より、短くなるように設定されている。
【００１４】
このような構成のもと、フロントケース２とリアケース３とを放熱フレーム２０を介してそれぞれ重ね合わせると、図２に示すように、フロントケース２およびリアケース３の端面２ａ，３ａが立ち上がり壁部２０ｂを両側から挟み込むようにして固定され、このとき突部２０ｃの天面２０ｄは外方に露出するようになっている。さらに、立ち上がり壁部２０ｂの高さ寸法ｄ1は、フロントケース２およびリアケース３の厚さ寸法より、短くなるように設定されているため、突部２０ｃは、フロントケース２およびリアケース３の外表面２ｂ，３ｂに対して、内方に没する位置に配されるようになっている。
【００１５】
次に、このように構成された本実施例におけるデジタルカメラ１の使用方法について説明する。
このデジタルカメラ１により撮影を行う場合には、デジタルカメラ１を把持した状態で、人指し指などでスライドカバー９を開けて、レンズ５を露出させる。そして、レンズ５を被写体に向け、必要に応じてズームレバー１１を操作して、リアケース３に設けられた不図示のファインダーまたは表示部を介して撮影状態を確認しながら、シャッターボタン１０を押す。一方、撮影を行わず、このデジタルカメラ１を携行する場合には、スライドカバー９を閉じて、レンズ５を覆い隠した状態で鞄やポケットなどに収容する。このスライドカバー９によって、携行時におけるレンズ５の表面の損傷が防止される。
【００１６】
また、本実施例におけるデジタルカメラ１は、以下のようにして組立が行われる。
すなわち、放熱フレーム２０を間に配して、基板３０を挟んでフロントケース２とリアケース３とをそれぞれ重ね合わせる。すると、図２に示すように、フロントケース２およびリアケース３の端面２ａ，３ａが立ち上がり壁部２０ｂを両側から挟み込むような状態になる。この状態でフロントケース２とリアケース３とを互いに固定する。このとき、フロントケース２およびリアケース３の端面２ａ，３ａは立ち上がり壁部２０ｂに接触し、端面２ａ，３ａ同士は直接には接触しないため、突部２０ｃの天面２０ｄは外方に露出した状態になる。さらに、立ち上がり壁部２０ｂの高さ寸法ｄ1は、フロントケース２およびリアケース３の厚さ寸法より、短くなるように設定されているため、突部２０ｃは、フロントケース２およびリアケース３の外表面２ｂ，３ｂに対して、内方に没する位置に配される。
【００１７】
次に、デジタルカメラ１を駆動すると、基板３０に固定された電子部品が電力を消費することにより熱を発生させるが、本実施例におけるデジタルカメラ１においては、以下のようにして放熱が行われる。
すなわち、電子部品の電力消費により発生した熱は、まずフロントケース２、リアケース３および放熱フレーム２０の内周面に伝わるが、フロントケース２およびリアケース３は熱伝導率が低く、フロントケース２およびリアケース３の内周面に伝わった熱は、その外表面にまで伝わり難いため、外部に発散し難い。その一方で、放熱フレーム２０は熱伝導率が高いため、この放熱フレーム２０の内周面に伝わった熱は、その内部を伝わり突部２０ｃの天面２０ｄにいち早く到達する。そして天面２０ｄは外方に露出していることから、天面２０ｄに到達した熱はそこから外方に発散する。これにより、機器内部が放熱される。
【００１８】
以上より、本実施例におけるデジタルカメラ１によれば、フロントケース２およびリアケース３を木材により構成し外装体として自然の風合いを活かしつつも、放熱フレーム２０の突部２０ｃを介して、内部の熱を発散させやすくし、放熱効率、放熱効果を向上させることができる。
また、フロントケース２およびリアケース３の間に金属を配することから、外装体の強度を上げることができる。
さらに、突部２０ｃの天面２０ｄは、フロントケース２およびリアケース３の外表面２ｂ，３ｂに対して、内方に没する位置に配されることから、操作者がデジタルカメラ１を把持して各種操作を行うときに、熱を帯びた放熱フレーム２０に誤って触れてしまうのを防止することができる。
【００１９】
（実施例２）
図３は、本発明の第２の実施例を示したものであり、放熱フレーム２０の要部を示したものである。
図３において、図１に記載の構成要素と同一部分については同一符号を付し、その説明を省略する。
この実施例と上記第１の実施例とは基本的構成は同一であり、以下の点においてのみ相違したものとなっている。すなわち、本実施例における放熱フレーム２０は、上記突部２０ｃに、放熱フレーム２０の厚さ方向、すなわち放熱フレーム２０の周方向と直交する方向、に向けられた切欠２０ｅが複数形成されて構成されるものである。これにより、小突部２０ｇ（フィン）が全周にわたって複数配列した状態になり、突部２０ｃの表面積も大きくなる。したがって、放熱フレーム２０の内周面に伝わった機器内の熱は、天面２０ｄだけでなく、小突部２０ｇにより拡大された外表面からも大量に発散される。
以上より、放熱効率、放熱効果をさらに向上させることができる。
【００２０】
（実施例３）
図４は、本発明の第３の実施例を示したものである。
図４において、図２に記載の構成要素と同一部分については同一符号を付し、その説明を省略する。
この実施例と上記第１の実施例とは基本的構成は同一であり、以下の点においてのみ相違したものとなっている。
本実施例における放熱フレーム２０は、天面２０ｄが上記厚さ方向に拡大されて、横断面Ｈ状にして構成されるものである。
このような構成のもと、放熱フレーム２０を介してフロントケース２およびリアケース３を重ね合わせると、その端面２ａ，３ａが溝部２１に嵌合される。
以上より、放熱フレーム２０を、機器内部の放熱としてだけでなく、フロントケース２とリアケース３とのジョイントとして機能させることができる。さらに、外装としての強度を向上させることができる。
【００２１】
（実施例４）
図５および図６は、本発明の第４の実施例を示したものである。
図５および図６において、図１に記載の構成要素と同一部分については同一符号を付し、その説明を省略する。
この実施例と上記第１の実施例とは基本的構成は同一であり、以下の点においてのみ相違したものとなっている。すなわち、本実施例における放熱フレーム２０は、図６に示すように、下枠２０ｆを起点として上記厚さ方向に延びる基底部２２と、基底部２２の先端を起点として上方に折り返されたフロント壁部（アクセント部）２３とを備えている。
このような構成のもと、放熱フレーム２０を介してフロントケース２およびリアケース３を重ね合わせると、その下端面が基底部２２によって覆われ、図５に示すように、フロントケース２の正面の一部がフロント壁部２３により覆われる。これにより、特にフロント壁部２３は、デジタルカメラ１の正面外観のデザインの一部を構成するようになる。
以上より、機器内部の放熱効率を高めるだけでなく、デジタルカメラ１のデザイン性を向上させることができる。
【００２２】
なお、上記の実施例をデジタルカメラに適用した場合を例に挙げて説明したが、本発明はデジタルカメラに限定されるものではなく、他の電子機器にも適用できることは言う迄もない。
また、本発明の技術範囲は上記の実施例に限定されるものではなく、本発明の趣旨を逸脱しない範囲において、種々の変更を加えることが可能である。
【図面の簡単な説明】
【００２３】
【図１】本発明に係る電子機器の放熱構造を、第１の実施例としてのデジタルカメラに適用した様子を示す分解斜視図である。
【図２】第１の実施例におけるデジタルカメラにおいて、ケースを組み立てたときの状態を示す断面図である。
【図３】本発明に係る電子機器の放熱構造における第２の実施例の要部を示す説明図である。
【図４】本発明に係る電子機器の放熱構造における第３の実施例の要部を示す断面図である。
【図５】本発明に係る電子機器の放熱構造における第４の実施例を示す斜視図である。
【図６】本発明に係る電子機器の放熱構造における第４の実施例を示す側面図である。
【符号の説明】
【００２４】
１    デジタルカメラ（電子機器）
２    フロントケース（外装体）
２ｂ  外表面
３    リアケース（外装体）
３ｂ  外表面
２０  放熱フレーム
２０ｇ  小突部（フィン）
２３    フロント壁部（アクセント部）
【図１】
2005236183.tif 000003
【図２】
2005236183.tif 000004
【図３】
2005236183.tif 000005
【図４】
2005236183.tif 000006
【図５】
2005236183.tif 000007
【図６】
2005236183.tif 000008